(57)【要約】【課題】  身体の中心軸に対して腰部を旋回運動させることにより、胸部、背中、腹部、腰部、臀部又は膝部の運動不足解消や筋力強化のための運動を効果的に行うことのできる旋回運動補助具を提供する。【解決手段】  基台２と、当該基台２上で回転軸３によって軸支されて回転運動を行う回転部材４と、当該回転部材４の偏心位置に偏心軸５ａを介して回転可能に一端を接続し、中央近傍に長手方向の細長孔５ｂが穿設されたアーム部材５ｃと、前記基台２上から突設して当該アーム部材５ｃの細長孔５ｂの内側に遊挿し、当該細長孔５ｂの内周面に沿わせて当該アーム部材５ｃの動作を制御する軸棒部材５ｄと、前記アーム部材５ｃの他端に固定し、使用者の身体の部位を保持する保持部材６とからなり、前記基台２上における前記軸棒部材５ｄの突設位置を前記回転軸３に対して距離的に移動させることで、前記保持部材６の旋回運動半径を変更することができるようにした。【選択図】図１
2012139514.tif 000002
【特許請求の範囲】
【請求項１】
基台と、当該基台上で回転軸によって軸支されて回転運動を行う回転部材と、当該回転部材の偏心位置に偏心軸を介して回転可能に一端を接続し、中央近傍に長手方向の細長孔が穿設されたアーム部材と、前記基台上から突設して当該アーム部材の細長孔の内側に遊挿し、当該細長孔の内周面に沿わせて当該アーム部材の動作を制御する軸棒部材と、前記アーム部材の他端に固定し、使用者の身体の部位を保持する保持部材とからなり、前記基台上における前記軸棒部材の突設位置を前記回転軸に対して距離的に移動させることで、前記保持部材の旋回運動半径を変更することができることを特徴とする旋回運動補助具。
【請求項２】
前記保持部材よって保持される身体の部位が、使用者の胸部、背中、腹部、腰部、臀部のうち少なくとも１つの部位であることを特徴とする請求項１に記載の旋回運動補助具。
【請求項３】
前記偏心軸の軸心上で且つ前記アーム部材の上面に、前記回転部材を回転させるために手で把持する回転把持部が回転可能に設けられていることを特徴とする請求項１又は２のいずれかに記載の旋回運動補助具。
【請求項４】
側部に使用者が手で掴んで姿勢を維持するための手摺りを設けてなることを特徴とする請求項１乃至３のいずれかに記載の旋回運動補助具。
【請求項５】
前記アーム部材の下面に当接するように当該アーム部材を水平方向に保つための支持台を設けてなることを特徴とする請求項１乃至４に記載の旋回運動補助具。
【発明の詳細な説明】
【技術分野】
【０００１】
本発明は、使用者の身体部位を保持し、身体の中心軸に対して旋回運動させることを補助する旋回運動補助具に関する。
【背景技術】
【０００２】
一般的に、腰痛を抱えた患者は、腰痛の発症による患部の痛みから身体を動かさなくなるため、腰部まわりの筋肉の硬化や弱体化を引き起こすことによって、腰痛の解消を阻害したり、余計に腰痛を悪化させたりする場合がある。また、脚部の筋力が弱体化して歩行が困難になった老人や脚部に障害を負った身体障害者などは、脚部を使って運動する機会が減るため、筋力の低下はもとより膝関節が堅くなってしまい、結果的にさらに症状が悪化してしまう場合がある。そのため、このような症状を予防又は解消するためには、患部に適度な運動を与えることによって、マッサージ効果や患部まわりの筋力強化を図ることが肝要であることから、従来、下記のような腰部の運動補助装置が提供されている。
【０００３】
例えば、基台上に立設した支柱を中心として回転自在な回転柱を当該支柱に垂直方向に連結し、当該回転柱の上部に水平方向に備え付けた一対の旋回腕を設けることにより、使用者が旋回腕につかまって下半身を動かすことなく腰部を回転させ、腰に対し無理のない左右の往復回転運動を与え、腰痛防止、或いは腰を痛めた人のリハビリテーションを効果的に行うことのできるストレッチング用器具が提供されている（特許文献１）。
【０００４】
また、座位の状態で腰部の運動ができる器具としては、腰掛け機能に腰の捻転運動の補助機能を付加すべく、上端に座部を回転自在に取付けた脚部に、アームレスト部を連設した椅子が提供されている。当該椅子によれば、通常の椅子として使用しながら、いつでも容易に座りながら腰の捻転運動や筋力トレーニングを行なえる（特許文献２）。
【０００５】
また、腰部の回転運動を促進する運動遊戯具としては、使用者に装着するバンドの腹部方向にリング状の固定部材を介して回転ディスクを回転自在に取り付けることにより、当該運動遊戯具を装着した使用者が自ら腰を振ると、回転ディスクが腰の動きに併せて回転し、当該回転ディスクの回転に応じて腰部の回転運動を促進する健康腰振り運動遊戯具が提供されている（特許文献３）。
【０００６】
さらに、膝を前方へ向けかつ足の裏を床に着けて座席部に着座し、この状態で回転揺動手段により、座席部に半径ｒの小さな回転を行う円運動を行い、足腰などの筋力アップを図ることのできるバランス訓練椅子が提供されている（特許文献４）。
【先行技術文献】
【特許文献】
【０００７】
【特許文献１】特開平０９−１９２２５８号公報
【特許文献２】特開平１１−１１３６６４号公報
【特許文献３】特開２００２−１１１１３号公報
【特許文献４】実用新案登録第３１４４４０５号公報
【発明の概要】
【発明が解決しようとする課題】
【０００８】
しかしながら、一般的に、効果的に腰痛の予防・解消や腰部の筋力強化をするには、ベリーダンスのように腰部を身体の中心軸に対して旋回運動させながら屈曲（臀部を突き出す）、左右の側屈及び伸展（へそを上に向ける）を反復して行うことが有効であるところ、そのような腰部の旋回運動を補助する腰痛患者に見合った器具などはこれまで提供されてこなかった。また、ベリーダンスのような腰部の水平方向の旋回運動を矯正する器具なども提供されてこなかった。
【０００９】
上記特許文献１及び特許文献２に記載の技術では、下半身を固定した状態で上半身だけを左右に捻転し、脊髄をほぼ軸とした回転運動を腰部にさせることは可能であるが、腰部を上記のベリーダンスのように旋回運動させるのではなく、上半身だけを捻転して腰部を回転させるだけでは腰痛の予防や解消を目的とした腰部の筋力強化の運動としては効果が薄かった。
【００１０】
また、特許文献３に記載の技術では、使用者は、重みのある回転ディスクを腰部で支えながら、自らが腰を振る運動をすることにより、効果的に腰の運動を促進することを目的としているため、腰部まわりの筋肉が硬化や弱体化して患部の痛みから身体を動かすことが困難な腰痛患者が、当該特許文献３に記載の運動遊戯具を使用すると、余計に腰痛を悪化させる可能性があり、また、回転ディスクの重みを支えるのは腰痛患者にとっては酷であり、したがって、健常者が腰部の筋力を強化する器具としては適しているものの、腰痛の解消を目的とした腰部の強化トレーニングを行うことはできなかった。
【００１１】
また、上記特許文献３に記載の技術では、腰部自体は固定されておらず、自由に動かすことができるので、腰部を身体の中心軸に対して旋回する運動を固定して行うことはできず、ベリーダンスのように腰部を水平方向に美しく旋回できるように矯正するためのトレーニングをすることはできなかった。
【００１２】
さらに、上記特許文献４に記載の技術では、着座しての使用により臀部と腰部が一緒に円運動するとともに、屈曲した膝が当該円運動に連動して前後に動くために、身体の中心軸が動いてしまい、前述したベリーダンスのような十分な腰部の旋回運動を行うことができなかった。
【００１３】
そこで、本発明は、身体の中心軸に対して腰部を旋回運動させることにより、腰部の運動不足解消や、腰痛の症状の効果的な予防や解消のための筋力強化、又は身体の中心軸に対して旋回するように動くベリーダンスのトレーニングを効果的に行うことができ、さらには、胸部、背中、腹部、臀部、膝部の旋回運動をも補助し、各部位の筋力強化や堅くなった膝関節の柔軟性の回復などを効果的に行うことのできる旋回運動補助具を提供することを課題とした。
【００１４】
なお、当該各部位を効果的に筋力強化できるのは、当該身体の各部位を特定して身体の中心軸に対して旋回運動すれば、上述したベリーダンスの腰部の動作のように屈曲（臀部を突き出す）、左右の側屈及び伸展（へそを上に向ける）という、各特定部位で可能なほぼ全ての動作を行うことができるためであり、各動作を反復して行うのでバランスよく筋力を鍛えることができるためである。
【００１５】
また、ここでは、「身体の中心軸」とは、直立時において頭頂から背骨を通って足元を結ぶラインを言い、「身体の中心軸に対して旋回運動する」とは、当該中心軸を軸芯として上記身体の特定の部位を旋回させることを言い、例えば、身体の中心軸に対する腰部の旋回運動であれば、頭頂から足元を結ぶ中心軸を動かさずに、腰部に特定して旋回させる運動を言う。
【課題を解決するための手段】
【００１６】
上記課題を解決するために、本発明は次のように構成した。すなわち、本発明に係る請求項１に記載の旋回運動補助具は、基台と、当該基台上で回転軸によって軸支されて回転運動を行う回転部材と、当該回転部材の偏心位置に偏心軸を介して回転可能に一端を接続し、中央近傍に長手方向の細長孔が穿設されたアーム部材と、前記基台上から突設して当該アーム部材の細長孔の内側に遊挿し、当該細長孔の内周面に沿わせて当該アーム部材の動作を制御する軸棒部材と、前記アーム部材の他端に固定し、使用者の身体の部位を保持する保持部材とからなり、前記基台上における前記軸棒部材の突設位置を前記回転軸に対して距離的に移動させることで、前記保持部材の旋回運動半径を変更することができることを特徴としている。
【００１７】
また、請求項２に記載の旋回運動補助具は、前記保持部材よって保持される身体の部位が、使用者の胸部、背中、腹部、腰部、臀部のうち少なくとも１つの部位であることを特徴としている。
【００１８】
また、請求項３に記載の旋回運動補助具は、前記偏心軸の軸心上で且つ前記アーム部材の上面に、前記回転部材を回転させるために手で把持する回転把持部が回転可能に設けられていることを特徴としている。
【００１９】
また、請求項４に記載の旋回運動補助具は、側部に使用者が手で掴んで姿勢を維持するための手摺りを設けてなることを特徴としている。
【００２０】
さらに、請求項５に記載の旋回運動補助具は、前記アーム部材の下面に当接するように当該アーム部材を水平方向に保つための支持台を設けてなることを特徴としている。
【発明の効果】
【００２１】
本発明に係る請求項１及び請求項２に記載の旋回運動補助具によれば、腰部などの患部をベリーダンスのように身体の中心軸に対して旋回運動するのを補助することにより、胸部、腰部或いは膝部などの運動不足の解消、または腰痛などの予防や解消を目的とした腰部の運動補助及び筋力強化を行うことができるとともに、前記基台上における前記軸棒部材の突設位置を前記回転軸に対して距離的に移動させることにより、使用者の体型や体調に合せて保持部材の旋回運動範囲を変更・調整することができる。また、本発明に係る腰部の旋回運動補助具によれば、当該旋回運動補助具を腰程度の高さの台や机などに固定して使用することができる。
【００２２】
また、請求項３に記載の旋回運動補助具によれば、回転可能な回転把持部を設けたことにより、使用者又は使用者とは別の操作者が回転把持部を手で把持して回転部材を回転させることができ、前記アーム部材等を介して保持部材を旋回運動させることができる。
【００２３】
また、請求項４に記載の旋回運動補助具によれば、使用者が手で手摺りを掴むことにより、腰部等の身体部位を旋回させている最中においても直立姿勢を維持することができる。
【００２４】
さらに、請求項５に記載の旋回運動補助具によれば、前記アーム部材を水平方向に保つことにより、保持部材の旋回運動を水平方向に維持することができ、腰部等の身体部位を水平方向に旋回運動するためのベリーダンス等のトレーニングを行うことができる。
【図面の簡単な説明】
【００２５】
【図１】本発明に係る旋回運動補助具を示す斜視図である。
【図２】当該旋回運動補助具の旋回運動を示す斜視図である。
【図３】当該旋回運動補助具の使用状態を示す斜視図である。
【図４】他の実施例に係る旋回運動補助具を示す斜視図である。
【図５】他の実施例に係る旋回運動補助具を示す斜視図である。
【発明を実施するための形態】
【００２６】
以下、本発明に係る旋回運動補助具１を、図面に基づいて具体的に説明する。まず、図１は、本発明に係る旋回運動補助具１を示す斜視図である。なお、ここでは、腰部の旋回運動を補助する場合について説明する。
【００２７】
旋回運動補助具１は、板状の基台２と、当該基台２の上面の端部に回転軸３によって回転可能に軸支された円板状の回転部材４と、当該回転部材４の偏心位置に偏心軸５ａによって回転可能にその一端が接続され、中央近傍に長手方向の細長孔５ｂが穿設されたアーム部材５ｃ及び前記基台２の上面から前記細長孔５ｂの内側に遊挿するように突設した軸棒部材５ｄからなる運動伝達機構５と、前記アーム部材５ｃの他端に固定し、使用者の腰部を保持する弧状の保持部材６と、によって基本的に構成され、さらには、アーム部材５ｃの保持部材６側の端部が基台２と回転部材４との高低差によって下方へと垂れ下がることを防止するための支持台７と、回転部材４を回転させるために手で把持する円柱状の回転把持部８が前記偏心軸５ａの軸芯上で且つアーム部材５ｃの上面に回転可能に設けられている。
【００２８】
これらの旋回運動補助具１の各部材は、木製、金属製、合成樹脂製又はこれらの組み合わせで構成される。なお、保持部材６は、使用者の腰部に当接するため、木製やクッション性に優れた合成樹脂製とするのが好ましく、また、保持部材６の使用者の腰部との当接面にクッション性の優れた発泡合成樹脂などのパッド素材（図示せず。）を設け、使用者の腰部への負担を軽減してもよい。
【００２９】
次に、当該回転部材４を回転させることによって、弧状の保持部材６を旋回させる様子について説明する。図２は、当該旋回運動補助具１の保持部材６を旋回させる様子を示す斜視図である。回転把持部８を把持して回転部材４を回転させると、当該回転部材４の偏心位置に軸支されたアーム部材５ｃが回転部材４の回転運動に連動して、偏心軸５ａで軸支されたアーム部材５ｃの一端が回転する。このとき、当該アーム部材５ｃの中央近傍には細長孔５ｂが形成され、当該細長孔５ｂには基台２の上面に突設した軸棒部材５ｄが遊挿してあるため、アーム部材５ｃに形成された細長孔５ｂの内周面が軸棒部材５ｄに沿うように矢印Ａ方向に前後に摺動し、それにより、アーム部材５ｃの動作が制御されて、アーム部材５ｃの他端に固定された保持部材６が、回転部材４の回転運動に連動して旋回運動する。このように、回転部材４の回転運動が、アーム部材５ｃ等の運動伝達機構５を介することにより旋回運動に変換され、アーム部材５ｃの他端に固定された弧状の保持部材６に伝達される。なお、図示では、回転部材４の回転方向を時計回りに表現したが、時計回り又は反時計回りのどちらであってもよい。
【００３０】
当該アーム部材５ｃの動作を制御する軸棒部材５ｄは、基台２上から突設されているが、基台２に対する位置を回転軸３に対して距離的に移動させることで、旋回運動半径を変更することができることにより、使用者の体型や体調に合せて保持部材６の旋回運動範囲を変更・調整することができる。すなわち、軸棒部材５ｄを基台２上に回転軸３に距離的に近づけて突設すれば、保持部材６の旋回運動半径は大きくなり、逆に、距離的に遠ざけて突設すれば、保持部材６の旋回運動半径は小さくなる。このように、軸棒部材５ｄの突設位置を変更するために、例えば、軸棒部材５ｄを基台２上でスライド可能な構成としたり、貴台２上に複数の孔を設けて、突設位置を選択して軸棒部材５ｄを当該孔の１つに嵌設できる構成としたりなど、基台２上での突設位置を変更可能となるように軸棒部材５ｄを設けてもよい。
【００３１】
このように構成した旋回運動補助具１の腰部への使用方法について、図３を用いて説明する。まず、基台２の下面を机などの腰部の高さ程度の台座９に固定する。なお、この基台２の台座９への固定方法は、例えば、粘着ゲルシートなどの着脱可能な粘着シート剤を基台２の底面と台座９の上面の間に挟み込んで固定したり、基台２に螺設用の貫通孔を設け、当該貫通孔９にネジを挿通して台座９の上面にネジ止めしたりするなど、基台２を台座９の上面に固定できればよく、何らこれら例示した固定方法に限定されるものではない。
【００３２】
そして、固定した旋回運動補助具１に対して、使用者は、直立した状態で足裏を地面に着面して不動とし、保持部材６の弧状の内側に背中側から押し当て、腰部が位置ずれしないように保持部材６に固定する。その後、使用者とは別の操作者が、回転把持部８を手で把持して手動で回転部材４を回すと、上記運動伝達機構５を介して保持部材６が旋回運動する。そうすると、保持部材６によって固定された使用者の腰部は、保持部材６の旋回運動に伴って、身体の中心軸に対して、且つ水平方向の旋回運動をすることができるようになる。このとき、使用者は、直立して足裏を地面にしっかりと着面した状態で、身体の中心軸を意識しながら、旋回運動補助具１の旋回運動に従って腰部を旋回させる。
【００３３】
なお、使用者が腰部を旋回させると身体が左右や前後にブレてしまうこともあるため、使用者が腰部を旋回させている最中においても直立姿勢を維持できるように、旋回運動補助具１の側部などに手摺り（図示せず。）などの手で掴んで姿勢を維持するための部材を設けてもよい。使用者は、当該手摺りを手で掴むことにより、手及び、肩より上の上半身の動きを固定することができ、身体の中心軸をずらすことなく、身体の中心軸に対して腰部を旋回運動するための状態を常に最適に維持することができる。
【００３４】
ここでは、回転部材４を手動で回転させたが、回転部材４を回転させる手段は、このような手動駆動に限られるものでなく、次に示す自動駆動により回転部材４を回転させてもよい。図示はしないが、上記の旋回運動補助具１（図１）の構成において、円板状の回転部材４を平歯車形状として基台２上に軸支し、また、基台２にモーターを備え付け、当該モーターに取り付けた歯車と歯車形状の回転部材４とを噛み合わせることにより、モーターを起動すれば回転部材４が回転するように構成する。このように自動駆動により回転部材４を回転可能に構成すれば、手動駆動で回転部材４を回転させた上記の旋回運動補助具１とは異なり、回転部材４を回転させるための操作者を必要とせず、さらに上記モーターの起動スイッチを基台２上に或いはリモコンとして設ければ、使用者が上記モーターの起動スイッチをＯＮ操作することにより、１人で旋回運動補助具１を使用することができる。
【００３５】
なお、当該回転部材４の回転速度は、手動駆動であれば操作者が使用者の腰痛の具合などを考慮して調整すればよく、また、自動駆動であればモーターの回転速度や歯車の組み合わせを調整すればよい。
【００３６】
また、本実施例では、背中側から保持部材６を押し当て腰部を固定したが、腹部側から保持部材６を押し当ててもよい。使用者は、旋回運動補助具１と正対する位置関係にあるので、手動駆動の旋回運動補助具１であれば、駆動状況を目視しながら操作者に旋回運動の速度や開始・停止の指示を出しやすく、自動駆動の旋回運動補助具１であれば、駆動状況を目視しながら使用者自らが安心してリモコンの操作をすることができる。なお、手動駆動の旋回運動補助具１であれば、使用者自らが回転把持部８を把持し、回転部材４を回転させて旋回運動補助具１を使用することもできる。
【００３７】
以上により、本発明に係る旋回運動補助具１によれば、使用者は、手動駆動又は自動駆動により回転部材４を回転運動させ、腰部を身体の中心軸に対して旋回させることができ、腰部の運動不足解消や、腰痛の症状の効果的な予防や解消のための筋力強化の運動を行うことができる。また、基台２を腰部と同じ程度の高さの水平の机などの台座９の上に固定して設置すれば、安定して水平方向の旋回運動を使用者にさせることができるので、身体の中心軸に対して旋回するように動くベリーダンスのトレーニングを効果的に行うことができる。このとき、本発明の旋回運動補助具１が腰部の旋回運動を誘導してくれるため、使用者は、身体の中心軸を維持することに意識を集中させることができ、それにより、に腰部の運動不足解消や、腰痛の症状の効果的な予防や解消のための筋力強化の運動、またはベリーダンスのトレーニング等を効果的に行うことができる。
【００３８】
上記実施例では、保持部材６を弧状に形成したが、胴体を挿入できる輪状でもよく、腰部が保持部材６から離脱しないように固定できるものであれば何でもよい。また、図４に示すように、弧状の保持部材６の両端にベルト１０を設け、保持部材６に背中側から腰部を押し付けた使用者を、当該ベルト１０を締めることにより固定すれば、より効果的に腰部を旋回運動させることができる。さらには、アーム部材５ｃを刺又形状に形成し、当該刺又形状の又部分を保持部材６として腰部を保持するようにしてもよい。
【００３９】
また、上記実施例の運動伝達機構５（図１）は、偏心軸５ａ、細長孔５ｂ、アーム部材５ｃ及び軸棒部材５ｄで構成されているが、当該構成に限られるものではなく、カム機構などの動力伝達機構５であって、回転部材４の回転運動を腰部保持部材６の旋回運動に変換できればどのような動力伝達機構５であってもよい。また、上記実施例では、回転運動から旋回運動へと変換したが、所定の駆動手段による直線運動を、種々の動力伝達機構５により旋回運動へと変換し、保持部材６を旋回させてもよい。
【００４０】
また、上記実施例では、軸棒部材５ｄを基台２の上面から突設したが、図５に示すように、支持台７を基台２の中央近傍に設け、その支持台７の上面から軸棒部材５ｄを突設してもよい。当該軸棒部材５ｄもアーム部材５ｃの中央近傍に穿設された細長孔５ｂに遊挿され、細長孔５ｂの内周面で軸棒部材５ｄが沿うようにしてアーム部材５ｃの動作を制御するように構成する。
【００４１】
また、本発明に係る旋回運動補助具１は、上記の腰部や腹部以外にも、胸部、背中、臀部又は膝部に押し当てて使用することができる。当該旋回運動補助具１の保持部材６を胸部やその背中側から押し当てて使用すれば、使用者の胸部が身体の中心軸に対して旋回運動するため、胸部の運動不足の解消や、大胸筋の筋力強化を目的とした胸部の運動を効果的に行うことができる。また、膝部の脹脛側から押し当てて使用すれば、脚部の筋力が弱体化して歩行が困難になった老人や脚部に障害を負った身体障害者などに対し、身体の中心軸に対して膝部を旋回運動させ、適度な脚部の運動を補助することができるため、膝部の運動不足の解消、筋力強化や、堅くなってしまった膝関節の柔軟性を回復させるような運動を効果的に行うことができる。
【００４２】
なお、臀部に当該旋回運動補助具１を押し当てて使用した場合には、身体の中心軸を動かさずに、臀部と一緒に腰部が旋回運動するため、腰部に旋回運動補助具１を使用する上記実施例の場合と同様の効果を得ることができる。この場合、保持部材６が弧状であってもよいが、保持部材６を自転車のサドルのような腰掛け可能な形状の部材とすれば、足腰が弱体化した老人などの使用者は、わずかに保持部材６に腰掛けた状態で旋回運動補助具１を使用することができ、楽に、負担を軽減して、より長時間の運動をすることができる。
【産業上の利用可能性】
【００４３】
使用者が直立状態ではなく、身体を仰向け又はうつ伏せにした状態でも、旋回運動補助具１を使用することができる。例えば、使用者が仰向け又はうつ伏せになる寝台の腰部当接位置に、旋回運動補助具１を上記実施例（図３）の状態から９０°立てた状態で垂直に嵌め込み可能な縦長の設置孔を設け、当該設置孔に保持部材６側を上にした旋回運動補助具１を回転部材４側から挿入して嵌設し、弧状等の保持部材６だけを寝台の表面から露出させることにより、当該保持部材６に腰部等を載置するようにして本発明の旋回運動補助具１を使用し、身体の中心軸に対して旋回運動をすることができる。
【符号の説明】
【００４４】
１    旋回運動補助具
２    基台
３    回転軸
４    回転部材
５    運動伝達機構
５ａ  偏心軸
５ｂ  細長孔
５ｃ  アーム部材
５ｄ  軸棒部材
６    保持部材
７    支持台
８    回転把持部
９    台座
１０  ベルト
Ａ    矢印
【図１】
2012139514.tif 000003
【図２】
2012139514.tif 000004
【図３】
2012139514.tif 000005
【図４】
2012139514.tif 000006
【図５】
2012139514.tif 000007